(57)【要約】      （修正有）【課題】薄型化されたバッテリーの特性の識別を簡素な構成で実現する上で有利なバッテリーおよび電子機器を提供する。【解決手段】第１のバッテリー２の前面１０Ａ、両側側壁１０Ｅ、上面１０Ｃ、下面１０Ｄのそれぞれを撮像装置のバッテリー収容室の第１の底壁、両側壁、上壁、下壁のそれぞれに臨ませ、第１のバッテリー２の係合壁１００２をバッテリー収容室のガイド溝に挿入して押し込む。第１のバッテリー２の特性の識別用の壁部が凹部６２に収容され、コネクタ部３０の接片と電子機器側コネクタ部５０の接片６０とが接触して電子機器側コネクタ部５０にコネクタ部３０が装着され、コネクタ部３０の前方箇所が第２の底壁５２１０に近接される。【選択図】        図８
2006173034.tif 000002
【特許請求の範囲】
【請求項１】
厚さと、前記厚さよりも大きい寸法の左右の幅と、前記幅よりも大きい寸法の前後方向の長さとを有する扁平な矩形板状のケースと、
前記ケースの内部に収容された電池セルと、
前記ケースの長さ方向の両端の端面のうちの一方の端面で幅方向の端部寄りの箇所に前記長さ方向に突出形成されたコネクタ部とを備え、
前記一方の端面における前記コネクタ部と前記幅方向の端部との間の箇所に、前記長さ方向に膨出し前記コネクタ部に接続するバッテリー特性の識別用の壁部が形成されている、
ことを特徴とするバッテリー。
【請求項２】
前記コネクタ部は、前記一方の端面から前記長さ方向に膨出されたコネクタ壁部と、前記電池セルに接続された複数の接片とを有し、前記コネクタ壁部は、少なくとも前記幅方向に間隔をおき前記厚さ方向に延在する一対の縦壁を有し、前記複数の接片は、前記一対の縦壁の間に前記幅方向に間隔をおいて設けられ、前記識別用の壁部は、前記一対の縦壁のうち前記幅方向の端部寄りに位置する縦壁に接続されていることを特徴とする請求項１記載のバッテリー。
【請求項３】
前記コネクタ壁部は、前記厚さ方向の両端の面のうちの一方の面寄りの箇所で前記幅方向に延在し前記一対の縦壁の前記厚さ方向の端部間を接続する横壁を有し、前記一対の縦壁と前記横壁により前記長さ方向に開放状でかつ前記厚さ方向の両端の面のうちの他方の面に開放状の空間が形成され、前記開放状の空間に端子構成用部材が配置され、前記端子構成用部材は、前記幅方向に間隔をおき前記長さ方向に開放状で前記厚さ方向に延在する複数の溝を有し、前記複数の接片は前記幅方向において互いに対向する前記各溝の側面を構成するように配置されていることを特徴とする請求項２記載のバッテリー。
【請求項４】
前記複数の溝は、前記厚さ方向の両端の面のうちの他方の面に開放状に形成されていることを特徴とする請求項３記載のバッテリー。
【請求項５】
前記長さ方向の端部における前記コネクタ壁部の箇所と、前記長さ方向の端部における前記端子構成用部材の箇所は、前記一方の端面と平行する平面上を延在していることを特徴とする請求項３記載のバッテリー。
【請求項６】
前記長さ方向の端部における前記コネクタ壁部の箇所と、前記長さ方向の端部における前記端子構成用部材の箇所と、前記長さ方向の端部における前記識別用の壁部の箇所は、前記一方の端面と平行する平面上を延在していることを特徴とする請求項３記載のバッテリー。
【請求項７】
前記識別用の壁部には、前記長さ方向に開放状で前記長さ方向に延在する凹部が設けられていることを特徴とする請求項１記載のバッテリー。
【請求項８】
前記識別用の壁部は、前記ケースの厚さのほぼ１／２の厚さで形成されていることを特徴とする請求項１記載のバッテリー。
【請求項９】
前記識別用の壁部は、前記ケースの厚さよりも小さい寸法の厚さで形成され、前記一方の面の前方で前記識別用の壁部の上下には空間部が形成されていることを特徴とする請求項１記載のバッテリー。
【請求項１０】
前記識別用の壁部は、前記一対の縦壁のうち前記幅方向の端部寄りに位置する縦壁と、前記一方の面の前記幅方向の端部との間の全長にわたって設けられていることを特徴とする請求項１記載のバッテリー。
【請求項１１】
前記一対の縦壁のうち前記幅方向の端部寄りに位置する縦壁は、前記一方の面の前記幅方向の端部まで延在形成され、前記識別用の壁部は、前記縦壁が延在形成された部分で構成されていることを特徴とする請求項１記載のバッテリー。
【請求項１２】
前記ケースの幅方向の両端に位置する各側面には、前記幅方向外方に突出しつつ前記長さ方向に延在する係合壁が設けられていることを特徴とする請求項１記載のバッテリー。
【請求項１３】
前後方向の長さを有しその前端にコネクタ部が設けられたバッテリーが装着される電子機器であって、
前記電子機器に前記バッテリーが装着されるバッテリー装着部が設けられ、
前記バッテリー装着部は、前記バッテリーがその長さ方向に挿入されるバッテリー収容室と、前記バッテリー収容室の奥部に設けられ前記コネクタ部に装着する電子機器側コネクタ部とを備え、
前記バッテリーに設けられたバッテリー特性の識別用の壁部が収容される凹部が前記電子機器側コネクタ部に近接して設けられている、
ことを特徴とする電子機器。
【請求項１４】
前後方向の長さを有しその前端にコネクタ部が設けられたバッテリーが装着される電子機器であって、
前記電子機器に前記バッテリーが装着されるバッテリー装着部が設けられ、
前記バッテリー装着部は、前記バッテリーがその長さ方向に挿入されるバッテリー収容室と、前記バッテリー収容室の奥部に設けられ前記コネクタ部に装着する電子機器側コネクタ部とを備え、
前記バッテリーに設けられたバッテリー特性の識別用の壁部に当接しバッテリー側コネクタ部と電子機器側コネクタ部との装着を阻止する凸部が前記電子機器側コネクタ部に近接して設けられている、
ことを特徴とする電子機器。
【発明の詳細な説明】
【技術分野】
【０００１】
本発明はバッテリーおよびバッテリーが装脱可能に装着される電子機器に関する。
【背景技術】
【０００２】
電子機器に装着されるバッテリーとして、ケースと、ケースの内部に収容された複数の円柱状の電池セルと、ケースに設けられ各電池セルに接続されたバッテリー側コネクタ部とを備え、電子機器のバッテリー収容室に装着されることで前記バッテリー側コネクタ部が前記バッテリー収容室の電子機器側コネクタ部に接続されるように構成されたものが提供されている。
このようなバッテリーとして、互いに異なる容量や特性を有する複数種類のバッテリーが存在している場合、その電子機器に適合するバッテリーの特性を識別して、適合するバッテリーの装着を許容し、適合しないバッテリーの装着を禁止することが望ましい。
そのため、ケース内部で各電池セルの外周面の間に生じるデッドスペースの部分に対応するケース箇所に孔や溝の凹部を設けるとともに、電子機器のバッテリー収容室に前記凹部に嵌合可能な凸部を設け、凹部と凸部の形状と位置が一致して両者が嵌合することでバッテリーのバッテリー収容室への装着を許容し、凹部と凸部の形状と位置が一致せず両者が嵌合不能の場合に、バッテリーのバッテリー収容室への装着を禁止することで、その電子機器に適合するバッテリーのみをバッテリー収容室に装着できるようにした構造が知られている。
一方、近年、電子機器の小型化に伴いバッテリーの薄型化が図られていることから、電池セルとして円柱状のものに代えて扁平な矩形板状のものが用いられ、扁平な矩形板状のより小型なバッテリーが提供されている（例えば特許文献１参照）。
【特許文献１】特開２００１−２６６８２６号公報
【発明の開示】
【発明が解決しようとする課題】
【０００３】
しかしながら、このような扁平な矩形板状のバッテリーでは、電池セルが扁平な矩形状を呈していることから、従来のように円柱状の電池セルの外周面の間に生じるようなデッドスペースがケース内部に無いため、ケースの内方に凹むバッテリー特性の識別用の凹部を形成することが困難となってきている。
本発明はこのような事情に鑑みなされたものであり、その目的は、薄型化されたバッテリーの識別を簡素な構成で実現する上で有利なバッテリーおよび電子機器を提供することにある。
【課題を解決するための手段】
【０００４】
上述の目的を達成するため、本発明は、厚さと、前記厚さよりも大きい寸法の左右の幅と、前記幅よりも大きい寸法の前後方向の長さとを有する扁平な矩形板状のケースと、前記ケースの内部に収容された電池セルと、前記ケースの長さ方向の両端の端面のうちの一方の端面で幅方向の端部寄りの箇所に前記長さ方向に突出形成されたコネクタ部とを備え、前記一方の端面における前記コネクタ部と前記幅方向の端部との間の箇所に、前記長さ方向に膨出し前記コネクタ部に接続するバッテリー特性の識別用の壁部が形成されていることを特徴とする。
また、本発明は、前後方向の長さを有しその前端にコネクタ部が設けられたバッテリーが装着される電子機器であって、前記電子機器に前記バッテリーが装着されるバッテリー装着部が設けられ、前記バッテリー装着部は、前記バッテリーがその長さ方向に挿入されるバッテリー収容室と、前記バッテリー収容室の奥部に設けられ前記コネクタ部に装着する電子機器側コネクタ部とを備え、前記バッテリーに設けられたバッテリー特性の識別用の壁部が収容される凹部が前記電子機器側コネクタ部に近接して設けられていることを特徴とする。
また、本発明は、前後方向の長さを有しその前端にコネクタ部が設けられたバッテリーが装着される電子機器であって、前記電子機器に前記バッテリーが装着されるバッテリー装着部が設けられ、前記バッテリー装着部は、前記バッテリーがその長さ方向に挿入されるバッテリー収容室と、前記バッテリー収容室の奥部に設けられ前記コネクタ部に装着する電子機器側コネクタ部とを備え、前記バッテリーに設けられたバッテリー特性の識別用の壁部に当接しバッテリー側コネクタ部と電子機器側コネクタ部との装着を阻止する凸部が前記電子機器側コネクタ部に近接して設けられていることを特徴とする。
【発明の効果】
【０００５】
そのため、バッテリー特性の識別用の壁部がバッテリーのケースの内部の電池セル収容用のスペースに影響を与えることがなく、薄型化されたバッテリーの特性の識別を簡素な構成で実現する上で有利となる。
また、電子機器側コネクタ部の近傍にバッテリー特性の識別用の壁部を収容する凹部あるいはバッテリー特性の識別用の壁部に当接する凸部を設けるといった簡素な構成で、薄型化されたバッテリーの特性の識別を確実に行うことができる。
また、バッテリー特性の識別用の壁部をコネクタ部とケースの長さ方向の一方の端面の幅方向の端部との間の僅かなスペースに配置でき、バッテリーを取り扱う上でバッテリー特性の識別用の壁部が邪魔になりにくく使い勝手を向上させる上で有利となる。
また、バッテリー特性の識別用の壁部がケースの前面とコネクタ壁部の縦壁に接続されているので、コネクタ壁部の強度を向上させるとともに、外部の物にぶつかりやすいケースの隅部の強度も向上させることができ、バッテリーの耐久性を確保する上で有利となる。
【発明を実施するための最良の形態】
【０００６】
バッテリーのケースの幅方向の端部寄りに位置する一方の端面箇所に、長さ方向に膨出しコネクタ部に接続するバッテリー特性の識別用の壁部を形成することによって上記目的を実現した。
【実施例１】
【０００７】
次に本発明の実施例１について図面を参照して説明する。
図１は実施例１で用いる第１のバッテリー２の斜視図、図２（Ａ）は第１のバッテリー２の平面図、（Ｂ）は（Ａ）のＢ矢視図、（Ｃ）は（Ａ）のＣ矢視図、（Ｄ）は（Ａ）のＤ矢視図、図３（Ｅ）は図２（Ｄ）のＥ矢視図、（Ｆ）は（Ｅ）のＦ矢視図である。
図４（Ａ）は第１のバッテリー２を前方から見た正面図、（Ｂ）は（Ａ）のＢ矢視図、（Ｃ）は（Ａ）のＣ矢視図である。
図５は第１のバッテリー２の識別用の壁部の部分の斜視図である。
なお、添付図面中、円筒面や曲面、傾斜面を表すために、部材や部分の表面に複数の直線や曲線を描いた図面も存在している。
【０００８】
図１〜図３に示すように、第１のバッテリー２は、ケース１０と、ケース１０の内部に収容された不図示の電池セルと、コネクタ部３０とを備えている。
ケース１０は、厚さと、前記厚さよりも大きい寸法の左右の幅と、前記幅よりも大きい寸法の前後方向の長さとを有する扁平な矩形板状に形成されている。
図１に示すように、ケース１０は、前後方向の両端に位置する前面１０Ａおよび後面１０Ｂと、前後方向と直交する厚さ方向の両端に位置する上面１０Ｃおよび下面１０Ｄと、前後方向および厚さ方向に対して直交する幅方向の両端に位置する２つの側面１０Ｅとを有している。なお、説明の便宜上、ケース１０の左右方向はケース１０の前方から見た状態でいうものとする。
２つの側面１０Ｅの厚さ方向の中間部には、幅方向外方に突出しつつ長さ方向に延在する係合壁１００２が設けられている。
係合壁１００２の前面１０Ａ寄りの箇所に抜け止め用凹部１００４が形成されている。
また、２つの側面１０Ｅの後面１０Ｂ寄りの箇所にストッパ壁１００６が膨出形成されている。このストッパ壁１００６は係合壁１００２に接続され、バッテリーの後面１０Ｂを撮像装置１００のバッテリー収容室１５１に挿入できないようにしたものであり、いわゆる逆挿防止用の壁である。
【０００９】
コネクタ部３０は、ケース１０の前面１０Ａで幅方向の右側の端部寄りの箇所に形成されている。
図４、図５に示すように、コネクタ部３０は、前面１０Ａから長さ方向に膨出されたコネクタ壁部３２と、前記電池セルに接続された複数の接片３４とを有している。
コネクタ壁部３２はコネクタ部３０を補強するもので、コネクタ壁部３２は、幅方向に間隔をおき厚さ方向に延在する一対の縦壁３２０２と、上面１０Ｃ寄りの箇所で幅方向に延在し一対の縦壁３２０２の厚さ方向の端部間を接続する横壁３２０４を有している。
一対の縦壁３２０２と横壁３２０４により長さ方向に（前方に）開放状でかつ厚さ方向の両端の面のうちの他方の面に（下方に）開放状の空間３２０６が形成されている。
図５、図１０に示すように、開放状の空間３２０６には合成樹脂などの絶縁材料からなる端子構成用部材３６が配置されている。
端子構成用部材３６は、幅方向に間隔をおき長さ方向に（前方に）開放状で厚さ方向に延在する複数の溝３６０２を有し、複数の溝３６０２は、下面１０Ｄに開放状に形成されている。
複数の接片３４は、一対の縦壁３２０２の間に幅方向に間隔をおいて設けられ、本実施例では、幅方向において互いに対向する各溝３６０２の側面を構成するように配置されている。
【００１０】
図４、図５に示すように、一対の縦壁３２０２のうち幅方向の右側の端部寄りに位置する縦壁３２０２よりも幅方向の右側に位置する前面１０Ａ箇所に、長さ方向に（前方に）膨出し縦壁３２０２に接続するバッテリー特性の識別用の壁部３８が形成されている。ここでバッテリー特性とは、バッテリーの容量、種別、機能などの特性を意味する。
本実施例では、識別用の壁部３８は、右側の縦壁３２０２よりも右側に位置する前面１０Ａ箇所の下半部から前方に膨出形成されている。すなわち、識別用の壁部３８は、ケース１０の厚さのほぼ１／２の寸法の厚さを有し、前面１０Ａの前方で識別用の壁部３８の上方には空間Ｓ１が確保されている。
また、識別用の壁部３８は、一対の縦壁３２０２のうち幅方向の右側の端部寄りに位置する縦壁３２０２と、前面１０Ａの幅方向の端部とにわたって連続状に設けられている。
識別用の壁部３８の前端は、長さ方向の端部におけるコネクタ壁部３２の箇所と、長さ方向の端部における端子構成用部材３６の箇所とともに前面１０Ａと平行する同一の平面上を延在している。
また、本実施例では、識別用の壁部３８の前端の平面３８０２には、前方に開放状で後方に窪む凹部３８０４が設けられている。
【００１１】
次に、第１のバッテリー２が装着される電子機器について説明する。
本実施例では電子機器がデジタルビデオカメラなどの撮像装置である場合について説明する。
図６は撮像装置１００の斜視図、図７は撮像装置１００の制御系を示すブロック図、図８は第１のバッテリー２と撮像装置１００の電子機器側コネクタ部５０の関係を示す説明図、図９（Ａ）は撮像装置１００における電子機器側コネクタ部５０の正面図、（Ｂ）は（Ａ）のＢ矢視図、（Ｃ）は（Ａ）のＣ矢視図、図１０（Ａ）、（Ｂ）は第１のバッテリー２のコネクタ部３０と撮像装置１００の電子機器側コネクタ部５０の説明図である。
図１１、図１２は第１のバッテリー２と撮像装置１００Ａの電子機器側コネクタ部５０Ａの関係を示す説明図、図１３（Ａ）は像装置１００Ａのバッテリー装着部１５０の断面図、（Ｂ）は（Ａ）のＢＢ線断面図である。
【００１２】
図６に示すように、撮像装置１００は、外装を構成する本体ケース１０２を有し、本体ケース１０２は、上下方向の高さと、高さよりも短い寸法の前後方向の長さと、長さよりも短い寸法の左右方向の幅とを有している。なお、本明細書において本体ケース１０２の左右は本体ケース１０２を前方（被写体側）から見た状態でいうものとする。
本体ケース１０２の上部には鏡筒１０４が組み込まれ、鏡筒１０４の後部に撮像素子１０６（図７）が組み込まれるとともに、鏡筒１０４には被写体像を撮像素子１０６に導く光学系１０８が組み込まれている。
光学系１０８は、ズームレンズやフォーカスレンズ、対物レンズなどを含んだ複数の光学部材で構成されている。
【００１３】
本体ケース１０２は前方に臨む前壁１０２Ａ、後方に臨む後壁１０２Ｂ、上方に臨む上壁１０２Ｃ、下方に臨む１０２Ｄ、左側方に臨む左側壁１０２Ｅ、右側方に臨む右側壁を有している。
本体ケース１０２の後壁１０２Ｂの上部には、撮影中の画像を視認するためのビューファインダー１１０が設けられている。
ビューファインダー１１０下方の後壁１０２Ｂ箇所には、動画撮影の開始／停止スイッチ１１２などが設けられている。
本体ケース１０２の上壁１０２Ｃ後部寄りには光学系１０８のズーム操作を行うためのズームスイッチ１１４などの撮影にまつわる操作スイッチを含む操作スイッチ１１５（図７）が配置されている。
本体ケース１０２の右壁には、静止画および動画などの画像や文字や記号などが表示される表示パネル１６４（図７）、画像情報および音声情報を記録する磁気テープカセットあるいは光ディスクあるいはメモリカードなどの記録媒体１６０（図７）が装脱される媒体収容部（不図示）が設けられている。
本体ケース１０２には、第１のバッテリー２を装脱可能に収容するバッテリー装着部１５０が設けられている。
【００１４】
バッテリー装着部１５０は、バッテリー収容室１５１と、電子機器側コネクタ部５０（図８）とを備えている。
バッテリー収容室１５１はその開口１５２から第１のバッテリー２がその長さ方向に挿入され、開口１５２には開閉蓋１５４が揺動可能に設けられ、開口１５２を閉塞した状態で前方に臨む開閉蓋１５４部分によって前壁１０２Ａが構成されている。
図１０に示すように、電子機器側コネクタ部５０は、バッテリー収容室１５１の奥部に、第１のバッテリー２のコネクタ部３０に接触可能に設けられている。
バッテリー収容室１５１は、第１のバッテリー２のケース１０を収容する第１の収容室１５１Ａと、第１の収容室１５１Ａの奥部に設けられ、第１のバッテリー２のコネクタ部３０を収容する第２の収容室１５１Ｂを有している。
図１３に示すように、第１の収容室１５１Ａは、第１のバッテリー２が挿入された際に第１のバッテリー２の２つの側面１０Ｅにそれぞれ臨む両側の側壁５２０２と、第１のバッテリー２の前面１０Ａに臨む第１の底壁５２０４と、第１のバッテリー２の上面１０Ｃに臨む上壁５２０６と、第１のバッテリー２の下面１０Ｄに臨む下壁５２０８とを有している。
図１０に示すように、第２の収容室１５１Ｂは、第１のバッテリー２が挿入された際に第１のバッテリー２のコネクタ部３０の前方箇所に臨む第２の底壁５２１０を有している。
図１３に示すように、両側の側壁５２０２には、バッテリー収容室１５１側に開放状でバッテリー収容室１５１の延在方向に沿って延在し第１のバッテリー２の係合壁１００２が滑動可能に挿入されるガイド溝５４が形成されている。
なお、ガイド溝５４には、バッテリー収容室１５１に第１のバッテリー２が挿入されコネクタ部３０と電子機器側コネクタ部５０とが接触した状態で抜け止め用凹部１００４に係脱可能に係合し、第１のバッテリー２の装着状態を安定させるための弾性変形可能な抜け止め用凸部（不図示）が設けられている。
【００１５】
図１０に示すように、電子機器側コネクタ部５０は、第２の底壁５２１０の上下方向に間隔をおいた複数箇所からそれぞれ水平に突設された複数の接片６０により構成され、複数の接片６０は第１のバッテリー２のコネクタ部３０の複数の接片３４に接触可能である。
本実施例では複数の接片６０は、第２の底壁５２１０およびこの第２の底壁５２１０と第１の底壁５２０４を接続する接続壁５２１２から突設されている。
図８、図９に示すように、電子機器側コネクタ部５０に近接した第２の底壁５２１０箇所には、電子機器側コネクタ部５０に対して第１のバッテリー２のコネクタ部３０が装着されるように、第１のバッテリー２の識別用の壁部３８が収容される凹部６２が設けられている。
【００１６】
図１１〜図１３に示す撮像装置１００Ａの電子機器側コネクタ部５０Ａは、上述した第１のバッテリー２を装着してはならない形式のものであり、この場合には、第２の底壁５２１０の上下方向に間隔をおいた複数箇所からそれぞれ水平に複数の接片６０が突設されている点において電子機器側コネクタ部５０と同様であるが、図１１〜図１３に示すように、電子機器側コネクタ部５０Ａに近接した第２の底壁５２１０箇所には、電子機器側コネクタ部５０に対して第１のバッテリー２のコネクタ部３０の装着が阻止されるように、第１のバッテリー２の識別用の壁部３８に当接可能な凸部６４が設けられている。
【００１７】
電子機器側コネクタ部５０、５０Ａは、撮像装置１００、１００Ａの電源回路１７２（図７）に接続されている。
図７に示すように、撮像装置１００、１００Ａは、撮像素子１０６から出力された撮像信号に対して所定のデータ処理を行って画像データを生成し、この画像データを記憶媒体１６０に記録する画像処理部１６２と、前記画像データを表示パネル１６４に表示させる表示処理部１６６と、撮影光学系１０８の撮影倍率を変化させるズーム駆動部１６８と、各操作スイッチ１１２、１１４、１１５の操作に基づき、画像処理部１６２、表示処理部１６６、ズーム駆動部１６８などを制御する制御部１７０と、電子機器側コネクタ部５０、５０Ａを介して第１のバッテリー２から供給された直流電源を画像処理部１６２、表示処理部１６６、ズーム駆動部１６８に供給する電源回路１７２などを備えている。
【００１８】
次に作用効果について説明する。
第１のバッテリー２を撮像装置１００に装着する際には、図６に示すように、開閉蓋１５４を開放し、第１のバッテリー２の前面１０Ａ、両側側壁１０Ｅ、上面１０Ｃ、下面１０Ｄのそれぞれを撮像装置１００のバッテリー収容室１５１の第１の底壁５２０４、両側壁５２０２、上壁５２０６、下壁５２０８のそれぞれに臨ませ、第１のバッテリー２の係合壁１００２をバッテリー収容室１５１のガイド溝５４に挿入して押し込む。
これにより、第１のバッテリー２の識別用の壁部３８が凹部６２に収容され、図１０（Ａ）、（Ｂ）に示すように、コネクタ部３０の接片３４と電子機器側コネクタ部５０の接片６０とが接触して電子機器側コネクタ部５０にコネクタ部３０が装着され、コネクタ部３０の前方箇所が第２の底壁５２１０に近接される。
そして、係合壁１００２の抜け止め用凹部１００４に前記抜け止め用凸部が係合し、第１のバッテリー２の装着状態が安定して保持される。
次いで、開閉蓋１５４を閉塞する。
これにより、第１のバッテリー２からの直流電源が電源回路１７２を介して撮像装置１００の各部に供給される。
第１のバッテリー２を取り外す際には、開閉蓋１５４を開放し、第１のバッテリー２の後部を把持してバッテリー収容室１５１から抜去する。
【００１９】
これに対して、図６に示すように、撮像装置１００Ａに第１のバッテリー２を装着する場合について説明する。
開閉蓋１５４を開放し、第１のバッテリー２の前面１０Ａ、両側側壁１０Ｅ、上面１０Ｃ、下面１０Ｄのそれぞれを撮像装置１００Ａのバッテリー収容室１５１の第１の底壁５２０４、両側壁５２０２、上壁５２０６、下壁５２０８のそれぞれに臨ませ、第１のバッテリー２の係合壁１００２をバッテリー収容室１５１のガイド溝５４に挿入して押し込む。
しかしながら、第１のバッテリー２の識別用の壁部３８が凸部６４に当接するので、図１２、図１３（Ａ）、（Ｂ）に示すように、コネクタ部３０と電子機器側コネクタ部５０との装着が阻止され、第１のバッテリー２の電源が撮像装置１００Ａの電源回路１７２に供給されることはない。
このような第１のバッテリー２の識別は、第１のバッテリー２の容量、種別、機能などの特性が、その第１のバッテリー２を装着しようとしている撮像装置１００に適合するか否かに基づいて行われる。例えば、充電可能な電池セルを収容した第１のバッテリー２と、このような第１のバッテリー２と同様のケース１０内に装脱可能に乾電池を収容する乾電池パックとを区別し何れか一方を使用するためなどにも無論使われる。
なお、上記の実施例１では、単一の第１のバッテリー２を電子機器側コネクタ部の形状の異なる２種類の撮像装置１００、１００Ａに適用した場合について説明したが、後述するように単一の撮像装置についてコネクタ部の形状が異なる２種類のバッテリーを適用する場合にも無論適用され、言い換えると、電子機器にバッテリーを選択的に装着させる場合、あるいは、バッテリーを電子機器に選択的に装着させる場合の双方に適用される。
【００２０】
本実施例によれば、コネクタ部３０の一対の縦壁３２０２のうち幅方向の右側の端部寄りに位置する縦壁３２０２と、幅方向の右側の端部に位置する前面１０Ａ箇所との間に、縦壁３２０２に接続する識別用の壁部３８を長さ方向に（前方に）膨出形成したので、識別用の壁部３８が第１のバッテリー２のケース１０の内部の電池セル収容用のスペースに影響を与えることがなく、薄型化されたバッテリーの識別を簡素な構成で実現する上で有利となる。
また、本実施例によれば、電子機器側コネクタ部５０の近傍に第１のバッテリー２の識別用の壁部３８を収容する凹部６２あるいは壁部３８に当接する凸部６４を設けるといった簡素な構成で、薄型化されたバッテリーの識別を確実に行うことができる。
また、コネクタ部３０がケース１０の前面１０Ａで幅方向の端部寄りの箇所に形成され、識別用の壁部３８がケース１０の前面１０Ａとコネクタ部３０の縦壁３２０２に接続されているので、識別用の壁部３８をコネクタ部３０とケース１０の前面１０Ａの幅方向の端部との間の僅かなスペースに配置でき、バッテリーを取り扱う上で識別用の壁部３８が邪魔になりにくく使い勝手を向上させる上で有利となる。
また、コネクタ部３０がケース１０の前面１０Ａで幅方向の端部寄りの箇所に形成され、識別用の壁部３８がケース１０の前面１０Ａとコネクタ部３０の縦壁３２０２に接続されているので、コネクタ壁部３２の強度を向上させるとともに、外部の物にぶつかりやすいケース１０の隅部の強度も向上させることができ、バッテリーの耐久性を確保する上で有利となる。
【００２１】
なお、本実施例では、バッテリー特性の識別用の壁部３８を収容する凹部６２、あるいは、壁部３８に当接する凸部６４を電子機器側コネクタ部５０の近傍に設けることでバッテリーを識別する場合について説明したが、これに代えて、電子機器側コネクタ部５０の近傍箇所に、識別用の壁部３８の凹部３８０４に収容される凸部を設け、この凸部の有無により、バッテリーを識別するようにしても上述と同様の作用効果を奏することができる。
【実施例２】
【００２２】
次に実施例２について説明する。なお、以下の説明では実施例１と同様な箇所、部材に同一の符号を付して説明する。
図１４（Ａ）は実施例２における第２のバッテリー４を前方から見た正面図、（Ｂ）は（Ａ）のＢ矢視図、（Ｃ）は（Ａ）のＣ矢視図、図１５は第１のバッテリー２の識別用の壁部の部分の斜視図である。
図１６、図１７は第２のバッテリー４と撮像装置１００の電子機器側コネクタ部５０の関係を示す説明図、図１８（Ａ）、（Ｂ）は第２のバッテリー４のコネクタ部３０と撮像装置１００の電子機器側コネクタ部５０の説明図である。
図１９（Ａ）は撮像装置１００のバッテリー装着部１５０の断面図、（Ｂ）は（Ａ）のＢＢ線断面図である。
図２０は第２のバッテリー４と撮像装置１００Ａの電子機器側コネクタ部５０Ａの関係を示す説明図である。
【００２３】
実施例２は実施例１の変形例であり、実施例２が実施例１と異なるのは、バッテリーの識別用の壁部３８の形状と、バッテリーの厚さ方向の寸法であり、その他の構成は実施例１と同様である。
図１４に示すように、第１のバッテリー２のバッテリーケース１０と、第２のバッテリー４のバッテリーケース１０とは、幅と長さが等しく形成され、かつ、厚さが第１のバッテリー２のバッテリーケース１０よりも第２のバッテリー４のバッテリーケース１０が大きく形成されている。
第２のバッテリー４に設けられたコネクタ部３０と第１のバッテリー２に設けられたコネクタ部３０は、同一の形状、構造で形成されており、それらの前面１０Ａに対する位置は、上下方向の寸法がそれらの係合壁１００２を基準として同一の箇所に設けられ、また、左右方向の寸法が一方の側面１０Ｅを基準として同一の箇所に設けられている。
【００２４】
図１５に示すように、コネクタ部３０のコネクタ壁部３２を構成する一対の縦壁３２０２のうち幅方向の右側の端部寄りに位置する縦壁３２０２と、幅方向の右側の端部に位置する前面１０Ａ箇所との間に、縦壁３２０２に接続するバッテリー特性の識別用の壁部３８Ａが長さ方向に（前方に）膨出形成されている点は実施例１と同様であるが、実施例２では、識別用の壁部３８Ａは、縦壁３２０２の右側に位置する前面１０Ａ箇所の上下方向の中間部から前方に膨出形成され、右側の縦壁３２０２の上下方向の中間部と、前面１０Ａと右側の側面１０Ｅの境目である角部とを接続している。
識別用の壁部３８Ａは、ケース１０の厚さよりも小さい寸法の厚さで形成され、前面１０Ａの前方で識別用の壁部３８Ａの上下には空間部Ｓ２、Ｓ３が形成されている。
識別用の壁部３８Ａは、右側の縦壁３２０２と、前面１０Ａの幅方向の端部との間にわたって連続状に設けられ、上下方向に均一の厚みで水平に延在し、識別用の壁部３８Ａの前縁は、縦壁３２０２の前面に接続されている。
【００２５】
図１９に示す撮像装置１００の電子機器側コネクタ部５０は、第２のバッテリー４を装着する形式のものであり、図１６、図１７、図１９に示すように、電子機器側コネクタ部５０に近接した第２の底壁５２１０箇所には、電子機器側コネクタ部５０に対して第２のバッテリー４のコネクタ部３０の装着が許容されるように、第２のバッテリー４の識別用の壁部３８Ａを収容可能な凹部６２が設けられている。
図２０に示す撮像装置の電子機器側コネクタ部５０Ａは、上述した第２のバッテリー４を装着してはならない形式のものであり、電子機器側コネクタ部５０Ａに近接した第２の底壁５２１０箇所には、電子機器側コネクタ部５０に対して第２のバッテリー４のコネクタ部３０の装着が阻止されるように、第２のバッテリー２の識別用の壁部３８Ａに当接可能な凸部６４が設けられている。
【００２６】
次に作用効果について説明する。
第２のバッテリー４を撮像装置１００に装着する際には、実施例１と同様に、第２のバッテリー４の前面１０Ａ、両側側壁１０Ｅ、上面１０Ｃ、下面１０Ｄのそれぞれを撮像装置１００のバッテリー収容室１５１の第１の底壁５２０４、両側壁５２０２、上壁５２０６、下壁５２０８のそれぞれに臨ませ、第１のバッテリー２の係合壁１００２をバッテリー収容室１５１のガイド溝５４に挿入して押し込む。
これにより、第２のバッテリー４の識別用の壁部３８Ａが凹部６２に収容され、図１８（Ａ）、（Ｂ）に示すように、コネクタ部３０が電子機器側コネクタ部５０に装着され、コネクタ部３０の前方箇所が第２の底壁５２１０に近接される。
そして、係合壁１００２の抜け止め用凹部１００４に前記抜け止め用凸部が係合し、第２のバッテリー４の装着状態が安定して保持される。
これにより、第２のバッテリー４からの直流電源が電源回路１７２を介して撮像装置１００の各部に供給される。
【００２７】
これに対して、撮像装置１００Ａに第２のバッテリー４を装着する際には、実施例１と同様に、第２のバッテリー４の前面１０Ａ、両側側壁１０Ｅ、上面１０Ｃ、下面１０Ｄのそれぞれを撮像装置１００のバッテリー収容室１５１の第１の底壁５２０４、両側壁５２０２、上壁５２０６、下壁５２０８のそれぞれに臨ませ、第１のバッテリー２の係合壁１００２をバッテリー収容室１５１のガイド溝５４に挿入して押し込む。
しかしながら、第２のバッテリー４の識別用の壁部３８が凸部６４に当接するので、図２０に示すように、コネクタ部３０と電子機器側コネクタ部５０との接触が阻止され、第２のバッテリー４の電源が撮像装置１００Ａの電源回路１７２に供給されることはない。
このような第２のバッテリー４の識別は、実施例１の場合と同様に、第２のバッテリー４の容量、種別、特性、機能などが、その第２のバッテリー４を装着しようとしている撮像装置１００に適合するか否かに基づいて行われる。あるいは、充電可能な電池セルを収容した第２のバッテリー４と、このような第２のバッテリー４と同様のケース１０内に装脱可能に乾電池を収容する乾電池パックとを区別し何れか一方を使用するために行われる。
このような実施例２においても実施例１と同様の作用効果を奏する。
【実施例３】
【００２８】
次に実施例３について説明する。
図２１（Ａ）は実施例３における第３のバッテリー６を前方から見た正面図、（Ｂ）は（Ａ）のＢ矢視図、（Ｃ）は（Ａ）のＣ矢視図、図２２（Ａ）は撮像装置１００Ａのバッテリー装着部１５０の断面図、（Ｂ）は（Ａ）のＢＢ線断面図である。
【００２９】
実施例３は実施例１の変形例であり、実施例３が実施例１と異なるのは、バッテリー特性の識別用の壁部３８Ｂの形状であり、その他の構成は実施例１と同様である。
実施例３では、バッテリー特性の識別用の壁部３８Ｂが縦壁３２０２と一体に設けられている。
詳細には、図２１に示すように、コネクタ部３０のコネクタ壁部３２の一対の縦壁３２０２のうち幅方向の右側の端部寄りに位置する縦壁３２０２は、前面１０Ａの右端まで延在形成され、識別用の壁部３８Ｂは、縦壁３２０２が延在形成された部分で構成されている。
言い換えると、実施例３では、識別用の壁部３８Ｂの左側部分により、コネクタ部３０の右側の縦壁３２０２が構成され、識別用の壁部３８Ｂの右側部分が実施例１、２の識別用の壁部３８、３８Ａとして機能し、識別用の壁部３８Ｂの右側部分は、前面１０Ａ箇所の下半部から前方に膨出形成される下部３８１０と、前面１０Ａ箇所の上半部から前方に膨出形成される上部３８１２とを有し、識別用の壁部３８Ｂの右側部分は、ケース１０の厚さとほぼ同じ寸法の厚さを有している。
【００３０】
このような第３のバッテリー６を装着する形式の電子機器側コネクター５０は、実施例１と同様に、電子機器側コネクタ部５０に近接した第２の底壁５２１０箇所に、電子機器側コネクタ部５０に対して第２のバッテリー４のコネクタ部３０の装着が許容されるように、第３のバッテリー６の識別用の壁部３８Ｂを収容可能な凹部が設けられている。
また、第３のバッテリー６の装着を阻止する形式の電子機器側コネクター５０は、実施例１と同様に、図２２に示すように、電子機器側コネクタ部５０Ａに近接した第２の底壁５２１０箇所には、電子機器側コネクタ部５０に対して第３のバッテリー６のコネクタ部３０の装着が阻止されるように、第３のバッテリー６の識別用の壁部３８Ｂ（本例では下部３８１０および上部３８１２の双方）に当接可能な凸部６４が設けられている。
このような実施例３においても実施例１と同様の作用効果を奏する。
【実施例４】
【００３１】
次に実施例４について説明する。
図２３（Ａ）は実施例４における第４のバッテリー８を前方から見た正面図、（Ｂ）は（Ａ）のＢ矢視図、（Ｃ）は（Ａ）のＣ矢視図、図２４（Ａ）は撮像装置１００Ａのバッテリー装着部１５０の断面図、（Ｂ）は（Ａ）のＢＢ線断面図である。
【００３２】
実施例４は実施例２の変形例であり、実施例４が実施例２と異なるのは、バッテリー特性の識別用の壁部３８Ｃの形状であり、その他の構成は実施例２と同様である。
実施例４では、バッテリー特性の識別用の壁部３８Ｃが縦壁３２０２と一体に設けられている。
すなわち、図２３に示すように、コネクタ部３０のコネクタ壁部３２の一対の縦壁３２０２のうち幅方向の右側の端部寄りに位置する縦壁３２０２と識別用の壁部３８Ｃとが一体に設けられている。
詳細には、コネクタ部３０のコネクタ壁部３２の一対の縦壁３２０２のうち幅方向の右側の端部寄りに位置する縦壁３２０２は、前面１０Ａの右端まで延在形成され、識別用の壁部３８Ｂは、縦壁３２０２が延在形成された部分で構成されている。
言い換えると、実施例４では、識別用の壁部３８Ｃの左側部分により、コネクタ部３０の右側の縦壁３２０２が構成され、識別用の壁部３８Ｃの右側部分が実施例１、２の識別用の壁部３８、３８Ａとして機能し、識別用の壁部３８Ｃの右側部分は、前面１０Ａ箇所の上下方向の中間部から前方に膨出形成される下部３８１４と、前面１０Ａ箇所の上部から前方に膨出形成される上部３８１６とで構成され、下部３８１４の下方には空間部Ｓ４が形成されている。
【００３３】
このような第４のバッテリー８を装着する形式の電子機器側コネクター５０は、実施例２と同様に、電子機器側コネクタ部５０に近接した第２の底壁５２１０箇所に、電子機器側コネクタ部５０に対して第２のバッテリー４のコネクタ部３０の装着が許容されるように、第４のバッテリー８の識別用の壁部３８Ｃを収容可能な凹部が設けられている。
また、第４のバッテリー８の装着を阻止する形式の電子機器側コネクター５０は、実施例２と同様に、図２４に示すように、電子機器側コネクタ部５０Ａに近接した第２の底壁５２１０箇所には、電子機器側コネクタ部５０に対して第４のバッテリー８のコネクタ部３０の装着が阻止されるように、第４のバッテリー８の識別用の壁部３８Ｃ（本例では上部３８１６）に当接可能な凸部６４が設けられている。
このような実施例４においても実施例３と同様の作用効果を奏する。
【００３４】
なお、実施例では、バッテリーが電子機器のバッテリー装着部１５０のバッテリー収容室１５１に挿入されて収容される場合について説明したが、本発明のバッテリーは、従来公知の種々の構造のバッテリー装着部に装着することもできる。例えば、バッテリーのコネクタ部３０がバッテリー装着部の電子機器側コネクタに装着された状態で、バッテリーのコネクタ壁部３２と、ケース１０の上面１０Ｃとからバッテリーの底面を載置面に当て付ける係合手段を有するバッテリー装着部にも無論適用される。
また、実施例では、電子機器が撮像装置であった場合について説明したが、電子機器は撮像装置に限定されるものではなく、例えば、照明装置、オーディオ装置、通信装置、あるいは、バッテリー充電装置などバッテリーが装着されるものであれば適用可能であることはもちろんである。
また、本実施例では、第１のバッテリー２の２つの側面１０Ｅの後面１０Ｂ寄りの箇所に係合壁１００２に接続されたストッパ壁１００６を形成したので、左右２つの係合壁１００２は、左右の係合壁１００２によってそれぞれ２つに分割されることになり、係合壁１００２は合計４つの分割された分割部分によって構成されることになる。したがって、係合壁１００４の各分割部分に対応するバッテリー収容室１５１箇所の少なくとも１箇所に係合壁１００４の分割部分に当接してコネクタ部３０の電子機器側コネクタ部５０への装着を阻止する当接壁を設け、この当接壁の有無により、バッテリー特性の識別を行ってもよく、あるいは、前記当接壁に切り欠きを設け、この切り欠きに挿通可能な壁部をバッテリー収容室１５１箇所に設け、この壁部の有無によりバッテリー特性の識別を行うようにしてもよい。
【図面の簡単な説明】
【００３５】
【図１】実施例１で用いる第１のバッテリー２の斜視図である。
【図２】（Ａ）は第１のバッテリー２の平面図、（Ｂ）は（Ａ）のＢ矢視図、（Ｃ）は（Ａ）のＣ矢視図、（Ｄ）は（Ａ）のＤ矢視図である。
【図３】（Ｅ）は図２（Ｄ）のＥ矢視図、（Ｆ）は（Ｅ）のＦ矢視図である。
【図４】（Ａ）は第１のバッテリー２を前方から見た正面図、（Ｂ）は（Ａ）のＢ矢視図、（Ｃ）は（Ａ）のＣ矢視図である。
【図５】第１のバッテリー２の識別用の壁部の部分の斜視図である。
【図６】撮像装置１００の斜視図である。
【図７】撮像装置１００の制御系を示すブロック図である。
【図８】図８は第１のバッテリー２と撮像装置１００の電子機器側コネクタ部５０の関係を示す説明図である。
【図９】（Ａ）は撮像装置１００における電子機器側コネクタ部５０の正面図、（Ｂ）は（Ａ）のＢ矢視図、（Ｃ）は（Ａ）のＣ矢視図である。
【図１０】（Ａ）、（Ｂ）は第１のバッテリー２のコネクタ部３０と撮像装置１００の電子機器側コネクタ部５０の説明図である。
【図１１】第１のバッテリー２と撮像装置１００Ａの電子機器側コネクタ部５０Ａの関係を示す説明図である。
【図１２】第１のバッテリー２と撮像装置１００Ａの電子機器側コネクタ部５０Ａの関係を示す説明図である。
【図１３】（Ａ）は像装置１００Ａのバッテリー装着部１５０の断面図、（Ｂ）は（Ａ）のＢＢ線断面図である。
【図１４】（Ａ）は実施例２における第２のバッテリー４を前方から見た正面図、（Ｂ）は（Ａ）のＢ矢視図、（Ｃ）は（Ａ）のＣ矢視図である。
【図１５】第１のバッテリー２の識別用の壁部の部分の斜視図である。
【図１６】第２のバッテリー４と撮像装置１００の電子機器側コネクタ部５０の関係を示す説明図である。
【図１７】第２のバッテリー４と撮像装置１００の電子機器側コネクタ部５０の関係を示す説明図である。
【図１８】（Ａ）、（Ｂ）は第２のバッテリー４のコネクタ部３０と撮像装置１００の電子機器側コネクタ部５０の説明図である。
【図１９】（Ａ）は撮像装置１００のバッテリー装着部１５０の断面図、（Ｂ）は（Ａ）のＢＢ線断面図である。
【図２０】第２のバッテリー４と撮像装置１００Ａの電子機器側コネクタ部５０Ａの関係を示す説明図である。
【図２１】（Ａ）は実施例３における第３のバッテリー６を前方から見た正面図、（Ｂ）は（Ａ）のＢ矢視図、（Ｃ）は（Ａ）のＣ矢視図である。
【図２２】（Ａ）は撮像装置１００Ａのバッテリー装着部１５０の断面図、（Ｂ）は（Ａ）のＢＢ線断面図である。
【図２３】（Ａ）は実施例４における第４のバッテリー８を前方から見た正面図、（Ｂ）は（Ａ）のＢ矢視図、（Ｃ）は（Ａ）のＣ矢視図である。
【図２４】（Ａ）は撮像装置１００Ａのバッテリー装着部１５０の断面図、（Ｂ）は（Ａ）のＢＢ線断面図である。
【符号の説明】
【００３６】
２……第１のバッテリー、４……第２のバッテリー、６……第３のバッテリー、８……第４のバッテリー、１０……ケース、３０……コネクタ部、３２……コネクタ壁部、３２０２……縦壁、３４……接片、３８、３８Ａ、３８Ｂ、３８Ｃ……バッテリー特性の識別用の壁部、５０、５０Ａ……電子機器側コネクタ部、６２……凹部、６４……凸部、１００……撮像装置、１５０……バッテリー装着部、１５１……バッテリー収容室。
【図１】
2006173034.tif 000003
【図２】
2006173034.tif 000004
【図３】
2006173034.tif 000005
【図４】
2006173034.tif 000006
【図５】
2006173034.tif 000007
【図６】
2006173034.tif 000008
【図７】
2006173034.tif 000009
【図８】
2006173034.tif 000010
【図９】
2006173034.tif 000011
【図１０】
2006173034.tif 000012
【図１１】
2006173034.tif 000013
【図１２】
2006173034.tif 000014
【図１３】
2006173034.tif 000015
【図１４】
2006173034.tif 000016
【図１５】
2006173034.tif 000017
【図１６】
2006173034.tif 000018
【図１７】
2006173034.tif 000019
【図１８】
2006173034.tif 000020
【図１９】
2006173034.tif 000021
【図２０】
2006173034.tif 000022
【図２１】
2006173034.tif 000023
【図２２】
2006173034.tif 000024
【図２３】
2006173034.tif 000025
【図２４】
2006173034.tif 000026
【手続補正書】
【提出日】平成18年3月20日(2006.3.20)
【手続補正１】
【補正対象書類名】明細書
【補正対象項目名】００２５
【補正方法】変更
【補正の内容】
【００２５】
図１９に示す撮像装置１００の電子機器側コネクタ部５０は、第２のバッテリー４を装着する形式のものであり、図１６、図１７、図１９に示すように、電子機器側コネクタ部５０に近接した第２の底壁５２１０箇所には、電子機器側コネクタ部５０に対して第２のバッテリー４のコネクタ部３０の装着が許容されるように、第２のバッテリー４の識別用の壁部３８Ａを収容可能な凹部６２が設けられている。
図２０に示す撮像装置の電子機器側コネクタ部５０Ａは、上述した第２のバッテリー４を装着してはならない形式のものであり、電子機器側コネクタ部５０Ａに近接した第２の底壁５２１０箇所には、電子機器側コネクタ部５０に対して第２のバッテリー４のコネクタ部３０の装着が阻止されるように、第２のバッテリー４の識別用の壁部３８Ａに当接可能な凸部６４が設けられている。
【手続補正２】
【補正対象書類名】明細書
【補正対象項目名】００２６
【補正方法】変更
【補正の内容】
【００２６】
次に作用効果について説明する。
第２のバッテリー４を撮像装置１００に装着する際には、実施例１と同様に、第２のバッテリー４の前面１０Ａ、両側側壁１０Ｅ、上面１０Ｃ、下面１０Ｄのそれぞれを撮像装置１００のバッテリー収容室１５１の第１の底壁５２０４、両側壁５２０２、上壁５２０６、下壁５２０８のそれぞれに臨ませ、第２のバッテリー４の係合壁１００２をバッテリー収容室１５１のガイド溝５４に挿入して押し込む。
これにより、第２のバッテリー４の識別用の壁部３８Ａが凹部６２に収容され、図１８（Ａ）、（Ｂ）に示すように、コネクタ部３０が電子機器側コネクタ部５０に装着され、コネクタ部３０の前方箇所が第２の底壁５２１０に近接される。
そして、係合壁１００２の抜け止め用凹部１００４に前記抜け止め用凸部が係合し、第２のバッテリー４の装着状態が安定して保持される。
これにより、第２のバッテリー４からの直流電源が電源回路１７２を介して撮像装置１００の各部に供給される。
【手続補正３】
【補正対象書類名】明細書
【補正対象項目名】００３０
【補正方法】変更
【補正の内容】
【００３０】
このような第３のバッテリー６を装着する形式の電子機器側コネクター５０は、実施例１と同様に、電子機器側コネクタ部５０に近接した第２の底壁５２１０箇所に、電子機器側コネクタ部５０に対して第３のバッテリー６のコネクタ部３０の装着が許容されるように、第３のバッテリー６の識別用の壁部３８Ｂを収容可能な凹部が設けられている。
また、第３のバッテリー６の装着を阻止する形式の電子機器側コネクター５０は、実施例１と同様に、図２２に示すように、電子機器側コネクタ部５０Ａに近接した第２の底壁５２１０箇所には、電子機器側コネクタ部５０に対して第３のバッテリー６のコネクタ部３０の装着が阻止されるように、第３のバッテリー６の識別用の壁部３８Ｂ（本例では下部３８１０および上部３８１２の双方）に当接可能な凸部６４が設けられている。
このような実施例３においても実施例１と同様の作用効果を奏する。
【手続補正４】
【補正対象書類名】明細書
【補正対象項目名】００３３
【補正方法】変更
【補正の内容】
【００３３】
このような第４のバッテリー８を装着する形式の電子機器側コネクター５０は、実施例２と同様に、電子機器側コネクタ部５０に近接した第２の底壁５２１０箇所に、電子機器側コネクタ部５０に対して第４のバッテリー８のコネクタ部３０の装着が許容されるように、第４のバッテリー８の識別用の壁部３８Ｃを収容可能な凹部が設けられている。
また、第４のバッテリー８の装着を阻止する形式の電子機器側コネクター５０は、実施例２と同様に、図２４に示すように、電子機器側コネクタ部５０Ａに近接した第２の底壁５２１０箇所には、電子機器側コネクタ部５０に対して第４のバッテリー８のコネクタ部３０の装着が阻止されるように、第４のバッテリー８の識別用の壁部３８Ｃ（本例では上部３８１６）に当接可能な凸部６４が設けられている。
このような実施例４においても実施例３と同様の作用効果を奏する。
【手続補正５】
【補正対象書類名】明細書
【補正対象項目名】００３４
【補正方法】変更
【補正の内容】
【００３４】
なお、実施例では、バッテリーが電子機器のバッテリー装着部１５０のバッテリー収容室１５１に挿入されて収容される場合について説明したが、本発明のバッテリーは、従来公知の種々の構造のバッテリー装着部に装着することもできる。例えば、バッテリーのコネクタ部３０がバッテリー装着部の電子機器側コネクタに装着された状態で、バッテリーのコネクタ壁部３２と、ケース１０の上面１０Ｃとからバッテリーの底面を載置面に当て付ける係合手段を有するバッテリー装着部にも無論適用される。
また、実施例では、電子機器が撮像装置であった場合について説明したが、電子機器は撮像装置に限定されるものではなく、例えば、照明装置、オーディオ装置、通信装置、あるいは、バッテリー充電装置などバッテリーが装着されるものであれば適用可能であることはもちろんである。
また、本実施例では、第１のバッテリー２の２つの側面１０Ｅの後面１０Ｂ寄りの箇所に係合壁１００２に接続されたストッパ壁１００６を形成したので、左右２つの係合壁１００２は、左右の係合壁１００２によってそれぞれ２つに分割されることになり、係合壁１００２は合計４つの分割された分割部分によって構成されることになる。したがって、係合壁１００２の各分割部分に対応するバッテリー収容室１５１箇所の少なくとも１箇所に係合壁１００２の分割部分に当接してコネクタ部３０の電子機器側コネクタ部５０への装着を阻止する当接壁を設け、この当接壁の有無により、バッテリー特性の識別を行ってもよく、あるいは、前記当接壁に切り欠きを設け、この切り欠きに挿通可能な壁部をバッテリー収容室１５１箇所に設け、この壁部の有無によりバッテリー特性の識別を行うようにしてもよい。
【手続補正６】
【補正対象書類名】図面
【補正対象項目名】図４
【補正方法】変更
【補正の内容】
【図４】
2006173034.tif 000027
【手続補正７】
【補正対象書類名】図面
【補正対象項目名】図５
【補正方法】変更
【補正の内容】
【図５】
2006173034.tif 000028
【手続補正８】
【補正対象書類名】図面
【補正対象項目名】図７
【補正方法】変更
【補正の内容】
【図７】
2006173034.tif 000029
【手続補正９】
【補正対象書類名】図面
【補正対象項目名】図１３
【補正方法】変更
【補正の内容】
【図１３】
2006173034.tif 000030
【手続補正１０】
【補正対象書類名】図面
【補正対象項目名】図１５
【補正方法】変更
【補正の内容】
【図１５】
2006173034.tif 000031
【手続補正１１】
【補正対象書類名】図面
【補正対象項目名】図１６
【補正方法】変更
【補正の内容】
【図１６】
2006173034.tif 000032
【手続補正１２】
【補正対象書類名】図面
【補正対象項目名】図１７
【補正方法】変更
【補正の内容】
【図１７】
2006173034.tif 000033
【手続補正１３】
【補正対象書類名】図面
【補正対象項目名】図１８
【補正方法】変更
【補正の内容】
【図１８】
2006173034.tif 000034
【手続補正１４】
【補正対象書類名】図面
【補正対象項目名】図１９
【補正方法】変更
【補正の内容】
【図１９】
2006173034.tif 000035
【手続補正１５】
【補正対象書類名】図面
【補正対象項目名】図２０
【補正方法】変更
【補正の内容】
【図２０】
2006173034.tif 000036